(57)【要約】  作業者が設備機器の運転状態を分析した分析手順の中から、設備機器の異常の原因特定に関係があった手順を抽出することができる手順抽出システムを提供する。  設備機器の運転状態に関するデータである運転データを使用して作業者が設備機器の運転状態を分析した手順を、記憶する分析ログ記憶部２と、運転データを使用してグラフを作成するグラフ作成部８と、グラフ内の少なくとも一部の領域を指定する領域指定部１１と、分析ログ記憶部２に記憶された手順に含まれる工程の中から、領域指定部１１によって指定された領域が含まれるグラフを作成するために要した工程を抽出する出力工程抽出部１２と、を備える。
2016132396.tif 000002
【特許請求の範囲】
【請求項１】
設備機器の運転状態に関するデータである運転データを使用して作業者が前記設備機器の運転状態を分析した手順を、記憶する分析ログ記憶部と、
前記運転データを使用してグラフを作成するグラフ作成部と、
前記グラフ内の少なくとも一部の領域を指定する領域指定部と、
前記分析ログ記憶部に記憶された前記手順に含まれる工程の中から、前記領域指定部によって指定された前記領域が含まれる前記グラフを作成するために要した工程を抽出する出力工程抽出部と、
を備えた手順抽出システム。
【請求項２】
前記出力工程抽出部は、
前記領域指定部によって指定された前記領域が含まれる前記グラフが前記生成データのグラフである場合、前記生成データを生成するために使用された演算式の情報を含んでいる工程が、前記領域指定部によって指定された前記領域が含まれる前記グラフを作成するために要した工程であると判定する判定部
を備えたことを特徴とする請求項１に記載の手順抽出システム。
【請求項３】
前記判定部は、
前記分析ログ記憶部に記憶された前記工程を、前記領域指定部によって前記領域が指定された工程から時系列の逆順に遡るとともに、前記分析ログ記憶部に記憶された前記工程から前記演算式の情報を取得し、
取得した前記演算式の情報に基づいて、前記生成データを、前記運転データ同士の演算のみで表すことができるようになるまで、前記分析ログ記憶部に記憶された前記工程を遡ることを続ける
ことを特徴とする請求項２に記載の手順抽出システム。
【請求項４】
前記グラフ内に書き込む線を表す数式を指定する入力線指定部と、
前記グラフを構成する線が、前記グラフ内に書き込まれた前記線よりも上側になる領域および下側になる領域、を抽出する領域抽出部と、
を備え、
前記領域指定部は、前記領域抽出部によって抽出された前記領域の中から、少なくも１つの領域を指定する
ことを特徴とする請求項１〜３のいずれか１項に記載の手順抽出システム。
【発明の詳細な説明】
【技術分野】
【０００１】
本発明は、例えば空調設備のような設備機器の異常診断等の際に、設備機器の運転状態を作業者が分析した手順の中から、少なくとも一部の手順を抽出するための手順抽出システムに関するものである。
【背景技術】
【０００２】
例えば空調設備のような設備機器では、様々なセンサを使用して設備機器の運転状態に関するデータ（以下、「運転データ」と称する）が収集され、収集された運転データは管理システム等の記憶装置に記憶される。設備機器に故障等の異常が発生した場合、例えばエンジニア等の作業者が、記憶装置に記憶された運転データを使用して設備機器の運転状態を分析し、異常が発生した原因を特定する。【０００３】
従来、エンジニアが過去に対策を実施した異常事例及び実施した対策をデータベースに保存しておき、後の設備機器の異常診断に使用する技術があった。この技術では、過去の異常事例においてエンジニアが実施した診断手順、即ち、設備機器の運転状態を分析した手順を保存しておく。（例えば、特許文献１参照）
【先行技術文献】
【特許文献】
【０００４】
【特許文献１】特開２０１３−４１４４８号公報（図１７等）
【発明の概要】
【発明が解決しようとする課題】
【０００５】
エンジニアが設備機器の運転状態を分析する際には、設備機器に異常が発生した原因を特定するまでに、多くの工程を経なければならない場合がある。この場合、エンジニアが実施した分析手順の中には、異常の原因特定に関係があった工程と、結果として関係がなかった工程と、が含まれる。したがって、上記の技術において、エンジニアが実施した手順の全工程をデータベースに保存すると、異常の原因特定に関係がなかった工程まで保存されることになり、後にデータベースに保存された情報を参照した際に、過去の事例を参考にしているにもかかわらず、過去と同様に無駄な手順を経てしまう可能性があるという問題があった。一方で、エンジニアが手作業で、異常の原因特定に関係があった工程のみを抽出してデータベースに保存することも可能ではあるが、エンジニアの作業量が多くなってしまうという問題があった。【０００６】
本発明は、上述のような問題を解決するためになされたもので、作業者（エンジニア）が実施した分析手順の中から、異常の原因特定に関係があった手順（工程）を抽出することができる手順抽出システムを提供することを目的とする。
【課題を解決するための手段】
【０００７】
本発明に係る手順抽出システムは、設備機器の運転状態に関するデータである運転データを使用して作業者が設備機器の運転状態を分析した手順を、記憶する分析ログ記憶部と、運転データを使用してグラフを作成するグラフ作成部と、グラフ内の少なくとも一部の領域を指定する領域指定部と、分析ログ記憶部に記憶された手順に含まれる工程の中から、領域指定部によって指定された領域が含まれるグラフを作成するために要した工程を抽出する出力工程抽出部と、を備えるものである。
【発明の効果】
【０００８】
本発明に係る手順抽出システムによれば、分析ログ記憶部に記憶された手順に含まれる工程の中から、領域指定部によって指定された領域が含まれるグラフを作成するために要した工程を抽出する出力工程抽出部を備えたことにより、作業者が実施した分析手順の中から、設備機器の異常の原因特定に関係があった工程を抽出することできる。よって、作業者の作業量を減らすことができる。
【図面の簡単な説明】
【０００９】
【図１】本発明の実施の形態１に係る手順抽出システムの機能ブロック図である。
【図２】本発明の実施の形態１に係る手順抽出システムのハードウェア構成図である。
【図３】本発明の実施の形態１に係る手順抽出システムの動作を含む手順抽出方法を示すフローチャートである。
【図４】本発明の実施の形態１に係る手順抽出システムの動作を含む手順抽出方法を示すフローチャートである。
【図５】本発明の実施の形態１に係る手順抽出システムの動作例１において作業者が実施した分析手順を示す図である。
【図６】動作例１において分析ログ記憶部に記憶された、作業者が実施した分析手順の例である。
【図７】動作例１においてデータ変換部から出力されるテキストの例である。
【図８】本発明の実施の形態１に係る手順抽出システムの動作例２において作業者が実施した分析手順を示す図である。
【図９】動作例２において分析ログ記憶部に記憶された、作業者が実施した分析手順の例である。
【図１０】動作例２においてデータ変換部から出力されるテキストの例である。
【発明を実施するための形態】
【００１０】
実施の形態１．
まず、本発明の実施の形態１に係る手順抽出システムの機能を説明する。図１は、本発明の実施の形態１に係る手順抽出システムの機能ブロック図である。
【００１１】
運転データ記憶部１は、設備機器に設けられた各種センサが収集した設備機器の運転状態に関するデータ（運転データ）を記憶する。センサによって収集された運転データ（「プリミティブデータ」ともいう）は、有線または無線の通信によって運転データ記憶部１に送られ、記憶される。
【００１２】
設備機器としては、例えば、空調設備、発電設備、熱供給設備、通信設備、機械設備等が想定されるが、ここでは、一例として空調設備の場合について説明する。空調設備とは、空気調和機の室外機、室内機およびコントローラー等で構成されるシステムである。
【００１３】
また、本発明が適用される場面としては、例えば、設備機器の保守点検、異常診断、運用診断等が想定されるが、ここでは、一例として異常診断の場合について説明する。
【００１４】
空調設備において、センサによって収集される運転データとしては、例えば、冷媒の温度、冷媒の圧力、空調設備の消費電力、外気温度、室内温度、電気部品を流れる電流、電気部品に印加される電圧等が挙げられる。
【００１５】
分析ログ記憶部２は、作業者が運転データを使用して空調設備の運転状態を分析した手順を記憶する。具体的には、作業者が異常診断の際に実施した分析手順の各工程が、実施されるたびに、当該工程での具体的な作業内容と当該工程が実施された時刻の情報とが関連付けられて分析ログ記憶部２に記憶される。
【００１６】
生成データ記憶部３は、生成された生成データを記憶する。ここで、生成データとは、２つ以上の運転データを使用して、具体的には演算して、生成されたデータのことをいう。尚、運転データと生成データとを演算して生成されたデータ、および、２つ以上の生成データを演算して生成されたデータも、結果として、２つ以上の運転データを演算して（使用して）生成されていると言えるので、生成データである。
【００１７】
データ指定部４は、作業者からの入力を受けて、グラフ作成するため、または、生成データを生成するために使用するデータを指定する。
【００１８】
演算式指定部５は、作業者からの入力を受けて、生成データを生成するために使用する演算式を指定する。
【００１９】
データ演算部６は、運転データ記憶部１または生成データ記憶部３からデータを読み出して、演算式指定部５から指定された演算式を用いて、生成データを生成する。データ演算部６によって生成された生成データは、生成データ記憶部３へ送られる。
【００２０】
入力線指定部７は、作業者からの入力を受けて、グラフ内に書き込まれるべき閾値を示す線を表す数式を指定する。ここで、閾値とは、例えば、作業者が、「データＸがｍより大きくなると異常の原因になる」という知見を持っている場合の、「ｍ」のことである。例えば閾値ｍが数値の場合は、指定される数式は、グラフの縦軸を「ｙ」とすると、「ｙ＝ｍ」となる。指定されうる閾値ｍを示す線としては、「ｙ＝ｍ」のようなグラフの横軸に平行な直線に限らず、傾きを持った直線でもよいし、曲線でもよい。
【００２１】
グラフ作成部８は、データ指定部４に指定されたデータの情報に基づいて、運転データ記憶部１または生成データ記憶部３からデータを読み出してグラフ化し、グラフ表示部９に表示させる。また、グラフ作成部８は、入力線指定部７によって指定された閾値を示す線等、グラフ表示部９に表示させるべき情報を、他の機能ブロックから受け取ってグラフ表示部９に表示させる。
【００２２】
グラフ表示部９は、グラフ作成部８から受け取った情報を表示する。
【００２３】
領域抽出部１０は、グラフ作成部８によって作成されたグラフを構成する線が当該グラフ内に書き込まれた閾値を示す線よりも上側になる領域と下側になる領域を抽出する。言い換えると、領域抽出部１０は、グラフ化されたデータが当該閾値よりも大きい領域と小さい領域を抽出する。
【００２４】
領域指定部１１は、作業者からの入力を受けて、領域抽出部１０によって抽出された領域の中から、空調設備の異常の原因と考えられる領域を指定する。
【００２５】
出力工程抽出部１２は、出力終了点指定部１３および出力開始点判定部１４を有する。そして、出力工程抽出部１２は、分析ログ記憶部２に記憶された分析手順に含まれる工程の中から、出力すべき工程を抽出する。
【００２６】
出力工程抽出部１２の出力終了点指定部１３は、分析ログ記憶部２に記憶された工程の中から、出力すべき工程のうちの時系列順の最後にあたる工程を出力終了点として指定する。具体的には、領域指定部１１によって領域が指定された工程を出力終了点として指定する。
【００２７】
ここで、出力すべき工程とは、領域指定部１１によって指定された領域が含まれるグラフに関連する工程のことであり、より具体的には、領域指定部１１によって指定された領域が含まれるグラフを作成するために要した工程のことである。
【００２８】
出力工程抽出部１２の出力開始点判定部１４は、分析ログ記憶部２に記憶された工程の中から、出力すべき工程のうちの時系列順の最初にあたる工程を出力開始点として指定する。具体的には、出力開始点判定部１４は、分析ログ記憶部２に記憶された工程を、出力終了点から時系列と逆順に遡りながら、分析ログ記憶部２に記憶された各工程が、領域指定部１１によって指定された領域が含まれるグラフを作成するために要した工程であるか否かを判断していく。そして、領域指定部１１によって指定された領域が含まれるグラフを作成するために要した工程を抽出し、出力工程記憶部１５へ送る。そして、抽出された工程のうちの時系列順の最初にあたる工程を出力開始点として指定する。
【００２９】
出力工程記憶部１５は、出力開始点判定部１４によって抽出された工程を記憶する。
【００３０】
データ変換部１６は、出力工程記憶部１５からデータを読み出し、テキスト形式に変換して出力する。ここで、出力する形式は、テキストデータを含む電子データでもよいし、当該テキストを紙面に印刷したりディスプレイに表示したりしてもよい。データ変換部１６から電子データを出力する場合は、この電子データを、手順抽出システムの外部装置または外部記憶媒体へ出力してもよいし、手順抽出システム内に設けられた記憶装置へ出力してもよい。
【００３１】
次に、本発明の実施の形態１に係る手順抽出システムのハードウェア構成を説明する。図２は、本発明の実施の形態１に係る手順抽出システムのハードウェア構成図である。
【００３２】
入力装置２１は、手順抽出システムに対して作業者が各種の情報を入力するために使用されるものである。例えば、キーボード、マウス、タッチパネル等の、入力インターフェースとなる装置が、入力装置２１に相当する。尚、入力装置２１は複数設けられてもよい。
【００３３】
出力装置２２は、手順抽出システムからの出力を、当該システムの外部に出力するための装置である。例えば、ディスプレイ、プリンタ、外部機器と接続するためのコネクタ等が出力装置２２に相当する。タッチパネル付きのディスプレイを使用すれば、入力装置２１と出力装置２２を兼ねることもできる。尚、出力装置２２は複数設けられてもよい。
【００３４】
メモリー２３には、運転データ、生成データおよび作業者が運転データを使用して空調設備の運転状態を分析した手順のデータが記憶される。また、メモリー２３には、プロセッサ２４が実行するプログラム２５も記憶されている。
【００３５】
プロセッサ２４は、メモリー２３に記憶されたプログラム２５を読み出して実行する。プログラム２５が実行されることにより、手順抽出システムが動作し、各機能が発揮される。
【００３６】
次に、図１の機能ブロック図に示された各機能が、図２のハードウェア構成図に示されたいずれのハードウェアによって実現されるのかを説明する。
【００３７】
データ変換部１６からの出力を手順抽出システムの外部へ出力する場合の出力機能およびグラフ表示部９の機能は、出力装置２２で実現される。運転データ記憶部１、分析ログ記憶部２、生成データ記憶部３および出力工程記憶部１５の機能は、メモリー２３によって実現される。データ指定部４、演算式指定部５、入力線指定部７、領域指定部１１、データ演算部６、グラフ作成部８、領域抽出部１０、出力終了点指定部１３および出力開始点判定部１４の機能、並びに、データ変換部１６のデータ変換の機能は、プログラム２５がプロセッサ２４で実行されることで実現される。データ指定部４、演算式指定部５、入力線指定部７および領域指定部１１は、入力装置２１からの入力を受ける部分であり、データ指定部４、演算式指定部５、入力線指定部７および領域指定部１１は、入力装置２１からの入力を受けると、入力された情報を他の機能ブロックへ送る。
【００３８】
次に、本発明の実施の形態１に係る手順抽出システムの動作を説明する。図３および図４は、本発明の実施の形態１に係る手順抽出システムの動作を含む手順抽出方法を示すフローチャートである。尚、図３内の「Ａ」と図４内の「Ａ」は、図３のフローチャートと図４のフローチャートとが、「Ａ」の部分で繋がっていることを示している。
【００３９】
空調設備に故障等の異常が発生すると、例えばエンジニア等の作業者が、空調設備に異常が発生した原因を特定するために、空調設備の運転状態の分析を開始する。ここで、作業者は、センサによって収集された運転データを使用して、空調設備の運転状態の分析を行う。
【００４０】
Ｓ１において、作業者は、空調設備に発生した異常の現象に基づいて、どのようなデータを参照したいかを想定し、生成データを生成するか否かを判断する。生成データを生成する場合は、Ｓ２へ進む。生成データを生成しない場合は、Ｓ５へ進む。
【００４１】
Ｓ２において、作業者は、データ指定部４に対して、生成データを生成するために使用するデータを少なくとも２つ指定する。ここで指定されるデータには、運転データのみが含まれる場合、生成データのみが含まれる場合、運転データと生成データの両方が含まれる場合、がある。データ指定部４は、作業者からの入力を受けて、データ演算部６に対して、生成データを生成するために使用するデータを指定する。
【００４２】
Ｓ３において、作業者は、生成データを生成するために使用する演算式を、演算式指定部５に入力する。演算式指定部５は、作業者からの入力を受けて、データ演算部６に対して、生成データを生成するために使用する演算式を指定する。
【００４３】
Ｓ４において、データ演算部６は、データ指定部４に指定されたデータの情報に基づいて、運転データが指定された場合は、指定された運転データを運転データ記憶部１から読み出し、生成データが指定された場合は、指定された生成データを生成データ記憶部３から読み出す。そして、データ演算部６は、読み出されたデータと、演算式指定部５によって指定された演算式と、を用いて、生成データを生成する。生成された生成データは、生成データ記憶部３へ送られ、記憶される。
【００４４】
ここで、生成データを生成する工程（Ｓ４）が実施されたことが、分析ログ記憶部２に記憶される。具体的には、どのデータに対してどのような演算を行って生成データを得たのか、という当該工程での作業内容と、当該工程が実施された時刻の情報と、が関連付けられて記憶される。
【００４５】
Ｓ４が終わると、Ｓ１へ戻る。
【００４６】
Ｓ１において、作業者が生成データを生成しないと判断した場合は、Ｓ５へ進む。
【００４７】
Ｓ５において、作業者は、データ指定部４に対して、グラフ化するデータを少なくとも１つ指定する。ここで指定されるデータには、運転データのみが含まれる場合、生成データのみが含まれる場合、運転データと生成データの両方が含まれる場合、がある。データ指定部４は、作業者からの入力を受けて、グラフ作成部８に対して、グラフ化するデータを指定する。
【００４８】
Ｓ６において、グラフ作成部８は、データ指定部４によって指定されたデータの情報に基づいて、運転データが指定された場合は、指定された運転データを運転データ記憶部１から読み出し、生成データが指定された場合は、指定された生成データを生成データ記憶部３から読み出す。そして、グラフ作成部８は、読み出されたデータのグラフを作成し、グラフ表示部９に表示させる。データ指定部４によって複数のデータが指定された場合、グラフ作成部８は、各データをそれぞれグラフ化し、グラフ表示部９に、複数のグラフを重ね合わせて表示させる。
【００４９】
ここで、グラフを作成する工程（Ｓ６）が実施されたことが、分析ログ記憶部２に記憶される。具体的には、どのデータのグラフを作成して表示したのか、という当該工程での作業内容と、当該工程が実施された時刻の情報と、が関連付けられて記憶される。
【００５０】
Ｓ７において、作業者は、Ｓ６で作成されたグラフ内に閾値を示す線を書き込むか否かを、判断する。閾値を示す線を書き込む場合は、Ｓ８へ進む。閾値を示す線を書き込まない場合は、Ｓ１へ戻る。
【００５１】
Ｓ８において、作業者は、グラフ内に書き込みたい閾値を示す線の情報を、入力線指定部７に入力する。具体的には、閾値の値を入力してもよいし、値に限らず、直線や曲線を示す数式を入力してもよい。入力線指定部７は、作業者からの入力を受けて、グラフ作成部８に対して、グラフ内に書き込むべき線を指定する。グラフ作成部８は、入力線指定部７によって指定された線をグラフ内に書き込み、グラフ表示部９に表示させる。
【００５２】
ここで、グラフ内に閾値を示す線を書き込む工程（Ｓ８）が実施されたことが、分析ログ記憶部２に記憶される。具体的には、どのグラフに、どんな閾値を示す線を書き込まれたか、という当該工程での作業内容と、当該工程が実施された時刻の情報と、が関連付けられて記憶される。
【００５３】
Ｓ９において、領域抽出部１０は、グラフを構成する線がグラフ内に書き込まれた閾値を示す線よりも上側になる領域と下側になる領域を抽出する。言い換えると、領域抽出部１０は、グラフ化されたデータが当該閾値よりも大きい領域と小さい領域を抽出する。そして、領域抽出部１０は、抽出された領域の当該グラフ内における位置情報を、グラフ作成部８へ送る。グラフ作成部８は、領域抽出部１０から受け取った位置情報に基づいて、抽出された各領域に対して、例えば操作ボタンのアイコン（以下、「操作アイコン」と称する）を表示するよう、グラフ表示部９に命令する。
【００５４】
作業者は、この操作アイコンを、クリックしたりタッチパネル上でタッチしたりすることによって、各領域を選択（指定）することができる。作業者がこの操作アイコンを操作すると、その操作内容が領域指定部１１へ送られる。
【００５５】
Ｓ１０において、作業者は、領域抽出部１０によって抽出された各領域が、空調設備に異常が発生した原因に関連するか否かを判断する。例えば、作業者が「データＸがｍより大きくなると異常の原因になる」という知見を持っている場合、作業者は、データＸがｍより大きくなる領域、即ち、データＸのグラフを構成する線が閾値ｍを示す線よりも上側になる領域が、空調設備の異常の原因であると判断する。当該グラフ内に、空調設備の異常の原因であると考えられる領域がある場合はＳ１１へ進み、無い場合はＳ１へ戻る。
【００５６】
Ｓ１１において、作業者は、空調設備の異常の原因であると考えられる領域に表示されている操作アイコンを操作する。すると、領域指定部１１は、当該領域を、空調設備の異常の原因として指定する。ここで指定される領域の数は１つでもよいし、２つ以上であってもよい。このように、領域指定部１１は、作業者からの入力を受けて、グラフ作成部８に対して、空調設備の異常の原因と考えられる領域を指定する。グラフ作成部８は、当該領域が指定されたことを表示するよう、グラフ表示部９に命令を送る。
【００５７】
ここで、空調設備の異常の原因と考えられる領域を指定する工程（Ｓ１１）が実施されたことが、分析ログ記憶部２に記憶される。具体的には、どのデータのグラフ内の、どの領域が、異常の原因と考えられると判断されたか、という当該工程での作業内容と、当該工程が実施された時刻の情報と、が関連付けられて記憶される。
【００５８】
以下では、Ｓ１１で指定された領域を「領域Ｐ」と称し、領域Ｐを含むグラフを「グラフＱ」と称する。
【００５９】
Ｓ１１が実施されたことが分析ログ記憶部２に記憶された後、Ｓ１２において、グラフ作成部８は、領域指定部１１によって領域Ｐが指定されたという情報を出力工程抽出部１２へ送る。出力工程抽出部１２の出力終了点指定部１３は、領域Ｐが指定されたという情報を受け取ると、分析ログ記憶部２に記憶された工程の中から、領域指定部１１によって領域Ｐが指定された工程（Ｓ１１）を出力終了点として指定する。さらに、出力終了点指定部１３は、分析ログ記憶部２に記憶された工程の中から、出力終了点として指定された工程を抽出し、出力候補の工程として出力工程記憶部１５に記憶しておく。
【００６０】
Ｓ１３において、出力工程抽出部１２の出力開始点判定部１４は、領域指定部１１によって指定された領域Ｐを含むグラフＱが、生成データのグラフであるか、運転データのグラフであるか、を判定する。グラフＱが、生成データのグラフである場合はＳ１４へ進み、運転データのグラフである場合はＳ１７へ進む。
【００６１】
以下では、グラフＱが、生成データのグラフである場合、当該生成データを「生成データＺ」と称する。
【００６２】
Ｓ１４において、出力開始点判定部１４は、分析ログ記憶部２に記憶された工程を、出力終了点から時系列と逆順に遡る。そして、グラフＱを作成するために要した工程のいずれかに辿り着くと遡りを止める。ここで、グラフＱが生成データのグラフであることから、グラフＱを作成するために要した工程とは、言い換えると、生成データＺを生成するために要した工程ということができる。さらに言い換えると、生成データＺを生成するために要した工程とは、生成データＺを生成するために使用された演算式の情報を含んでいる工程ということができる。
【００６３】
ここで、一例として、生成データＺが、生成データＸおよびＹを用いて、Ｚ＝Ｘ−Ｙで表され、生成データＸが、運転データＡおよびＢを用いて、Ｘ＝Ａ−Ｂで表され、生成データＹが、運転データＣおよびＤを用いて、Ｙ＝Ｃ−Ｄで表される場合を想定する。この場合、「生成データＺを生成するために要した工程」とは、生成データを生成する工程（Ｓ４）であって、「Ｘ−Ｙ」の演算を行って生成データＺを生成した工程、「Ｃ−Ｄ」の演算を行って生成データＹを生成した工程、および、「Ａ−Ｂ」の演算を行って生成データＸを生成した工程のことを指す。Ｓ１４では、これらのうちのいずれかの工程に辿り着いたときに遡りを止める。例えば、作業者が、生成データＸ、生成データＹ、生成データＺの順に、それぞれの生成データを生成する工程を行っていた場合、分析ログ記憶部２に記憶された工程を、出力終了点から時系列と逆順に遡ると、最初に、生成データＺを生成した工程に辿り着く。
【００６４】
Ｓ１５において、出力開始点判定部１４は、分析ログ記憶部２に記憶された工程の中から、Ｓ１４で辿り着いた工程を抽出し、出力候補の工程として出力工程記憶部１５に記憶する。
【００６５】
Ｓ１６において、出力開始点判定部１４は、出力工程記憶部１５に記憶された工程に含まれた演算式の情報を取得し、当該演算式の情報に基づいて、生成データＺを運転データ同士の演算のみで表すことが可能であるかを判定する。この時点で生成データＺを運転データのみで表すことが可能であればＳ１７へ進み、不可能であればＳ１４へ戻る。以降、Ｓ１６において「可能」と判断されるまで、Ｓ１４からＳ１６を繰り返す。このように、出力開始点判定部１４は、分析ログ記憶部２に記憶された工程の遡るとともに、出力候補の工程に含まれた演算式の情報を取得し、生成データＺを、運転データ同士の演算のみで表すことができるようになるまで、上記のような分析ログ記憶部２に記憶された工程を遡って演算式の情報を取得する作業を行う。
【００６６】
ここで、上記の例を用いて説明する。１回目のＳ１６の時点では、出力開始点判定部１４によって出力工程記憶部１５に抽出された工程は、「Ｘ−Ｙ」の演算を行って生成データＺを生成した工程のみである。ＸもＹも生成データであるが、この時点では、これまでに出力工程記憶部１５に抽出された工程を参照しても、ＸとＹを運転データで表すことはできない。よって、Ｓ１４へ戻り、分析ログ記憶部２に記憶された工程を遡ることを再開する。次に「生成データＺを生成するために要した工程」に辿り着くのは、「Ｃ−Ｄ」の演算を行って生成データＹを生成した工程に辿り着いたときである。ここで、Ｓ１５へ進み、当該工程も出力工程記憶部１５に抽出され、Ｓ１６へ進む。この時点で出力工程記憶部１５に記憶された工程を参照すると、「Ｚ＝Ｘ−Ｙ＝Ｘ−（Ｃ−Ｄ）」と表せることが分かるが、まだ生成データＺを運転データのみで表すことは不可能であるため、Ｓ１４へ戻る。再度、分析ログ記憶部２に記憶された工程を遡ることを再開すると、次に「生成データＺを生成するために要した工程」に辿り着くのは、「Ａ−Ｂ」の演算を行って生成データＸを生成した工程に辿り着いたときである。ここで、Ｓ１５へ進み、当該工程も抽出され、Ｓ１６へ進む。この時点で出力工程記憶部１５に抽出されて記憶された工程を参照すると、「Ｚ＝Ｘ−Ｙ＝（Ａ−Ｂ）−（Ｃ−Ｄ）」と表せることが分かる。つまり、生成データＺを運転データのみで表すことが可能となる。よって、Ｓ１７へ進む。
【００６７】
Ｓ１７は、分析ログ記憶部２に記憶された工程の中から、出力開始点を指定する工程である。
【００６８】
まず、Ｓ１３からＳ１４、Ｓ１５およびＳ１６を経てＳ１７へ進んだ場合、つまり、グラフＱが、生成データのグラフである場合について説明する。Ｓ１６において、出力開始点判定部１４によって、生成データＺを運転データ同士の演算のみで表すことが可能と判定されると、出力開始点判定部１４は、グラフＱを生成するために要した工程、即ち、生成データＺを生成するために使用された演算式の情報を含んでいる工程のうちの最初の工程（実施された時刻が最も早い工程）を出力開始点として指定し、分析ログ記憶部２に記憶された工程をこれ以上遡ることを止める。言い換えると、出力開始点判定部１４は、この時点で出力工程記憶部１５に記憶されている工程のうち最後に記憶された工程を出力開始点として指定する。
【００６９】
次に、Ｓ１３から直接Ｓ１７へ進んだ場合、つまり、グラフＱが運転データのグラフである場合について説明する。出力開始点判定部１４は、Ｓ１２で出力終了点として指定された工程、即ち、領域指定部１１によって領域Ｐが指定された工程を出力開始点として指定する。つまり、出力終了点と出力開始点が一致する。
【００７０】
その後、Ｓ１８へ進む。これ以降は、Ｓ１３からＳ１４、Ｓ１５およびＳ１６を経てＳ１７へ進んだ場合とＳ１３から直接Ｓ１７へ進んだ場合で共通である。Ｓ１８において、データ変換部１６は、出力工程記憶部１５に記憶されている工程のデータを読み出す。
【００７１】
Ｓ１９において、データ変換部１６は、出力工程記憶部１５から読み出したデータを、テキスト形式に変換して出力する。
【００７２】
次に、本発明の実施の形態１に係る手順抽出システムの具体的な動作例について説明する。
【００７３】
まず、動作例１について説明する。図５は、本発明の実施の形態１に係る手順抽出システムの動作例１において作業者が実施した分析手順を示す図である。尚、図５の（ａ）〜（ｄ）は時系列順に並んでいる。図６は、動作例１において分析ログ記憶部２に記憶された、作業者が実施した分析手順の例である。図７は、動作例１においてデータ変換部１６から出力されるテキストの例である。
【００７４】
まず、Ｓ１において、作業者は、生成データを生成しないと判断し、Ｓ５へ進む。Ｓ５において、作業者は、データ指定部４に対して、グラフ化するデータとして運転データＡを指定する。データ指定部４は、作業者からの入力を受けて、グラフ作成部８に対して、運転データＡを指定する。Ｓ６において、グラフ作成部８は、運転データＡを運転データ記憶部１から読み出してグラフ化し、グラフ表示部９に表示させる。これにより図５（ａ）のグラフが表示される。ここで、図６に示すように、運転データＡのグラフを作成する工程（Ｓ６）が実施されたことが、分析ログ記憶部２に記憶される。
【００７５】
次に、Ｓ７において、作業者は、Ｓ６で作成された運転データＡのグラフ内に閾値を示す線を書き込まないと判断し、Ｓ１へ戻る。以下、同様にＳ１、Ｓ５、Ｓ６およびＳ７を経てＳ１へ戻る作業を繰り返し、運転データＢのグラフおよび運転データＣのグラフを作成し、グラフ表示部９に表示させる。これにより、図５（ｂ）および図５（ｃ）のグラフが順に表示される。図６に示すように、運転データＢのグラフを作成する工程および運転データＣのグラフを作成する工程が実施されたことが、それぞれ分析ログ記憶部２に記憶される。
【００７６】
次に、運転データＣのグラフを作成および表示したＳ６の後、Ｓ７からＳ１へ戻ったときに、Ｓ１において、作業者は、生成データを生成することを決め、Ｓ２へ進む。Ｓ２において、作業者は、データ指定部４に対して、生成データを生成するために使用するデータとして、運転データＢおよび運転データＣを指定する。Ｓ３において、作業者は、生成データを生成するために使用する演算式として、運転データＢから運転データＣを引き算することを指定する。Ｓ４において、データ演算部６は、運転データＢおよび運転データＣを運転データ記憶部１から読み出し、演算式指定部５から指定された演算式を用いて演算を行い、生成データＫを生成する。生成データＫは、生成データ記憶部３へ送られ、記憶される。ここで、図６に示すように、生成データＫを生成する工程（Ｓ４）が実施されたことが、分析ログ記憶部２に記憶される。Ｓ４の次は、Ｓ１へ進む。
【００７７】
次に、Ｓ１、Ｓ５およびＳ６を経て生成データＫのグラフを作成してグラフ表示部９に表示する。これにより、図５（ｄ）のように、生成データＫのグラフが表示される。ここで、図６に示すように、生成データＫのグラフを作成する工程（Ｓ６）が実施されたことが、分析ログ記憶部２に記憶される。
【００７８】
次に、Ｓ７において、作業者は、Ｓ６で作成された生成データＫのグラフ内に閾値を示す線を書き込むことを決め、Ｓ８へ進む。Ｓ８において、作業者は、閾値ｍの値を入力線指定部７に入力する。そして、入力線指定部７は、作業者からの入力を受けて、グラフ作成部８に対して、グラフ内に書き込むべき線の情報として、閾値ｍを指定する。グラフ作成部８は、閾値ｍを示す線を、生成データＫのグラフ内に書き込み、グラフ表示部９に表示させる。これにより、図５（ｄ）のように、生成データＫのグラフ内に、閾値ｍを示す線が表示される。ここで、図６に示すように、生成データＫのグラフ内に閾値ｍを示す線を書き込む工程（Ｓ８）が実施されたことが、分析ログ記憶部２に記憶される。
【００７９】
次に、Ｓ９において、領域抽出部１０は、生成データＫのグラフを構成する線が閾値ｍを示す線よりも上側になる領域と下側になる領域を抽出する。そして、領域抽出部１０は、抽出された領域の当該グラフ内での位置情報を、グラフ作成部８へ送る。グラフ作成部８は、領域抽出部１０から受け取った位置情報に基づいて、抽出された各領域に対して、操作アイコンを表示するよう、グラフ表示部９に命令する。これにより、図５（ｄ）のように、生成データＫのグラフ内に、操作アイコンｉ１およびｉ２が表示される。
【００８０】
次に、Ｓ１０において、作業者は、領域抽出部１０によって抽出された各領域が、空調設備に異常が発生した原因に関連するか否かを判断する。ここで、作業者は、「生成データＫがｍより大きくなると異常の原因になる」という知見を持っており、生成データＫが閾値ｍより大きくなる領域Ｒを図５（ｄ）内に見つけて、Ｓ１１へ進む。
【００８１】
Ｓ１１において、作業者は、空調設備の異常の原因であると考えられる領域Ｒに表示されている操作アイコンｉ１を操作することで、領域Ｒを、空調設備の異常の原因として指定する。領域指定部１１は、作業者からの操作アイコンｉ１への入力を受けて、グラフ作成部８に対して、領域Ｒを指定する。グラフ作成部８は、領域Ｒが指定されたことを表示するよう、グラフ表示部９に命令を送る。ここで、図６に示すように、空調設備の異常の原因と考えられる領域を指定する工程（Ｓ１１）が実施されたことが、分析ログ記憶部２に記憶される。
【００８２】
次に、Ｓ１２において、グラフ作成部８は、領域指定部１１によって領域Ｒが指定されたという情報を出力工程抽出部１２へ送る。出力工程抽出部１２の出力終了点指定部１３は、領域Ｒが指定されたという情報を受け取ると、分析ログ記憶部２に記憶された工程の中から、領域指定部１１によって領域Ｒが指定された工程（Ｓ１１）を出力終了点として指定する。さらに、出力終了点指定部１３は、分析ログ記憶部２に記憶された工程の中から、出力終了点として指定された工程（Ｓ１１）を、抽出し、出力候補の工程として出力工程記憶部１５にする。
【００８３】
次に、Ｓ１３において、出力工程抽出部１２の出力開始点判定部１４は、領域指定部１１によって指定された領域Ｒを含むグラフ、即ち、生成データＫのグラフが、生成データのグラフであるか、運転データのグラフであるか、を判定する。ここで、生成データＫは生成データであるため、Ｓ１４へ進む。
【００８４】
次に、Ｓ１４において、出力開始点判定部１４は、分析ログ記憶部２に記憶された工程を、出力終了点から時系列と逆順に遡る。そして、生成データＫを生成した工程（Ｓ４）に辿り着くと遡りを止める。Ｓ１５において、出力開始点判定部１４は、分析ログ記憶部２に記憶された工程の中から、Ｓ１４で辿り着いた生成データＫを生成した工程（Ｓ４）を抽出し、出力候補の工程として出力工程記憶部１５に記憶する。
【００８５】
次に、Ｓ１６において、出力開始点判定部１４は、出力工程記憶部１５に記憶された、生成データＫを生成した工程（Ｓ４）に含まれた演算式の情報を取得し、生成データＫを運転データのみで表すことが可能であるかを判定する。ここで、演算式の情報によれば、生成データＫは、運転データＢと運転データＣを用いて、「Ｋ＝Ｂ−Ｃ」と表すことができるので、Ｓ１７へ進む。
【００８６】
次に、Ｓ１７において、出力開始点判定部１４は、この時点で出力工程記憶部１５に記憶されている工程のうち最後に記憶された工程を出力開始点として指定し、分析ログ記憶部２に記憶された工程をこれ以上遡ることを止める。ここでは、出力工程記憶部１５には、生成データＫを生成した工程（Ｓ４）と、領域指定部１１によって領域Ｒが指定された工程（Ｓ１１）と、が記憶されており、これらのうち、最後に記憶された工程は、生成データＫを生成した工程（Ｓ４）である。よって、出力開始点判定部１４は、生成データＫを生成した工程（Ｓ４）を出力開始点として指定する。
【００８７】
次に、Ｓ１８において、データ変換部１６は、出力工程記憶部１５に記憶されている工程のデータ、即ち、生成データＫを生成した工程（Ｓ４）および領域指定部１１によって領域Ｒが指定された工程（Ｓ１１）のデータを読み出す。
【００８８】
Ｓ１９において、データ変換部１６は、出力工程記憶部１５から読み出したデータを、テキスト形式に変換して出力する。ここで、図７に示されるテキストデータが、データ変換部１６から出力される。
【００８９】
次に、動作例２について説明する。図８は、本発明の実施の形態１に係る手順抽出システムの動作例２において作業者が実施した分析手順を示す図である。尚、図８の（ａ）〜（ｇ）は時系列順に並んでいる。図９は、動作例２において分析ログ記憶部２に記憶された、作業者が実施した分析手順の例である。図１０は、動作例２においてデータ変換部１６から出力されるテキストの例である。
【００９０】
まず、Ｓ１〜Ｓ７の中から必要な工程を実施し、運転データＤのグラフを作成し、運転データＥのグラフを作成し、運転データＤから運転データＥを引き算して生成データＬを生成し、生成データＬのグラフを作成し、運転データＦのグラフを作成し、運転データＧのグラフを作成し、運転データＦから運転データＧを引き算して生成データＭを生成し、生成データＭのグラフを作成し、生成データＬから生成データＭを引き算して生成データＮを生成し、生成データＮのグラフを作成する。以上により、図８（ａ）〜（ｆ）のグラフが順に表示され、その後、図８（ｇ）の生成データＮのグラフが表示される。詳細動作は動作例１と同様であるため説明を省略する。
【００９１】
次に、Ｓ７において、作業者は、Ｓ６で作成された生成データＮのグラフ内に閾値ｎを示す線を書き込むことを決め、Ｓ８へ進む。次に、動作例１と同様に、Ｓ８およびＳ９を実施する。これにより、図８（ｇ）のように、生成データＮのグラフ内に、操作アイコンｉ３およびｉ４が表示される。
【００９２】
次に、Ｓ１０において、作業者は、領域抽出部１０によって抽出された各領域が、空調設備に異常が発生した原因に関連するか否かを判断する。ここで、作業者は、「生成データＮがｎより大きくなると異常の原因になる」という知見を持っており、生成データＮが閾値ｎより大きくなる領域Ｓを図８（ｇ）内に見つけて、Ｓ１１へ進む。
【００９３】
Ｓ１１において、作業者は、空調設備の異常の原因であると考えられる領域Ｓに表示されている操作アイコンｉ３を操作することで、領域Ｓを、空調設備の異常の原因として指定する。領域指定部１１は、作業者からの操作アイコンｉ３への入力を受けて、グラフ作成部８に対して、領域Ｓを指定する。グラフ作成部８は、領域Ｓが指定されたことを表示するよう、グラフ表示部９に命令を送る。ここで、図９に示すように、空調設備の異常の原因と考えられる領域を指定する工程（Ｓ１１）が実施されたことが、分析ログ記憶部２に記憶される。
【００９４】
次に、Ｓ１２において、グラフ作成部８は、領域指定部１１によって領域Ｓが指定されたという情報を出力工程抽出部１２へ送る。出力工程抽出部１２の出力終了点指定部１３は、領域Ｓが指定されたという情報を受け取ると、分析ログ記憶部２に記憶された工程の中から、領域指定部１１によって領域Ｓが指定された工程（Ｓ１１）を出力終了点として指定する。さらに、出力終了点指定部１３は、分析ログ記憶部２に記憶された工程の中から、出力終了点として指定された工程（Ｓ１１）を、抽出し、出力候補の工程として出力工程記憶部１５にする。
【００９５】
次に、Ｓ１３において、出力工程抽出部１２の出力開始点判定部１４は、領域指定部１１によって指定された領域Ｓを含むグラフ、即ち、生成データＮのグラフが、生成データのグラフであるか、運転データのグラフであるか、を判定する。ここで、生成データＮは生成データであるため、Ｓ１４へ進む。Ｓ１５において、出力開始点判定部１４は、分析ログ記憶部２に記憶された工程の中から、Ｓ１４で辿り着いた生成データＮを生成した工程（Ｓ４）を抽出し、出力候補の工程として出力工程記憶部１５に記憶する。
【００９６】
次に、Ｓ１６において、出力開始点判定部１４は、出力工程記憶部１５に記憶された、生成データＮを生成した工程（Ｓ４）に含まれた演算式の情報を取得し、生成データＮを運転データのみで表すことが可能であるかを判定する。ここで、演算式の情報によれば、生成データＮは、生成データＬと生成データＭを用いて、「Ｎ＝Ｌ−Ｍ」と表すことができるが、この時点では、これまでに出力工程記憶部１５に記憶された工程に含まれる演算式の情報を参照しても、生成データＬと生成データＭを運転データで表すことはできない。
【００９７】
よって、Ｓ１４へ戻り、分析ログ記憶部２に記憶された工程を遡ることを再開する。次に、「Ｆ−Ｇ」の演算を行って生成データＭを生成した工程に辿り着き、Ｓ１５を経てＳ１６へ進むが、この時点でも「Ｎ＝Ｌ−Ｍ＝Ｌ−（Ｆ−Ｇ）」と表せるに過ぎず、まだ生成データＮを運転データのみで表すことは不可能である。よって、Ｓ１４へ戻る。
【００９８】
再度、分析ログ記憶部２に記憶された工程を遡ることを再開すると、次に「Ｄ−Ｅ」の演算を行って生成データＬを生成した工程に辿り着き、Ｓ１５を経てＳ１６へ進む。この時点で出力工程記憶部１５に抽出されて記憶された工程を参照すると、「Ｎ＝Ｌ−Ｍ＝（Ｄ−Ｅ）−（Ｆ−Ｇ）」と表せることが分かる。つまり、生成データＮを運転データのみで表すことが可能となる。よって、Ｓ１７へ進む。
【００９９】
次に、Ｓ１７において、出力開始点判定部１４は、この時点で出力工程記憶部１５に記憶されている工程のうち最後に記憶された工程を出力開始点として指定し、分析ログ記憶部２に記憶された工程をこれ以上遡ることを止める。ここでは、出力工程記憶部１５には、生成データＬを生成した工程（Ｓ４）と、生成データＭを生成した工程（Ｓ４）と、生成データＮを生成した工程（Ｓ４）と、領域指定部１１によって領域Ｓが指定された工程（Ｓ１１）と、が記憶されており、これらのうち、最後に記憶された工程は、生成データＬを生成した工程（Ｓ４）である。よって、出力開始点判定部１４は、生成データＬを生成した工程（Ｓ４）を出力開始点として指定する。
【０１００】
次に、Ｓ１８において、データ変換部１６は、出力工程記憶部１５に記憶されている工程のデータ、即ち、生成データＬを生成した工程（Ｓ４）および領域指定部１１によって領域Ｓが指定された工程（Ｓ１１）のデータを読み出す。
【０１０１】
Ｓ１９において、データ変換部１６は、出力工程記憶部１５から読み出したデータを、テキスト形式に変換して出力する。ここで、図１０に示されるテキストデータが、データ変換部１６から出力される。
【０１０２】
本発明の実施の形態１では、以上のように、運転データを使用して作業者が空調機器の運転状態を分析した手順を記憶する分析ログ記憶部２と、運転データを使用してグラフを作成するグラフ作成部８と、グラフ内の少なくとも一部の領域を指定する領域指定部１１と、分析ログ記憶部２に記憶された手順に含まれる工程の中から、領域指定部１１によって指定された領域が含まれるグラフを作成するために要した工程を抽出する出力工程抽出部１２と、を備えたことにより、作業者が実施した分析手順の中から、空調機器の異常の原因特定に関係があった工程を抽出することができる。よって、作業者の作業量を減らすことができる。
【０１０３】
出力工程抽出部１２によって抽出された工程の情報を利用すれば、作業者による作業報告書の作成の負担を減らすことができる。この場合は、出力工程抽出部１２によって抽出された工程の情報をテキスト形式の情報で出力することが好ましい。
【０１０４】
また、出力工程抽出部１２が、領域指定部１１によって指定された領域が含まれるグラフが生成データのグラフである場合、生成データを生成するために使用された演算式の情報を含んでいる工程が、領域指定部１１によって指定された領域が含まれるグラフを作成するために要した工程であると判定する出力開始点判定部１４、を備えたことにより、空調機器の異常の原因特定に関係があった工程を容易に過不足なく抽出できる。
【０１０５】
さらに、領域指定部１１によってどの領域が指定されたのか、という情報を利用すれば、グラフのどの部分が異常の原因特定に関係があるかが分かるので、作業者による作業報告書の作成の負担をより減らすことができる。
【０１０６】
出力開始点判定部１４は、分析ログ記憶部２に記憶された工程を、領域指定部１１によって領域が指定された工程から時系列の逆順に遡るとともに、分析ログ記憶部２に記憶された工程から、生成データを生成するために使用された演算式の情報を取得し、取得した演算式の情報に基づいて、生成データを、運転データ同士の演算のみで表すことができるようになるまで、分析ログ記憶部２に記憶された工程を遡ることを続けることによって、空調機器の異常の原因特定に関係があった工程を容易に過不足なく抽出できる。
【０１０７】
グラフ内に書き込む閾値を示す線を表す数式を指定する入力線指定部７と、グラフを構成する線が、グラフ内に書き込まれた閾値を示す線よりも上側になる領域および下側になる領域、を抽出する領域抽出部１０と、を備え、領域指定部１１が、領域抽出部１０によって抽出された領域の中から、少なくも１つの領域を指定することにより、作業者の操作性を向上させることができる。
【符号の説明】
【０１０８】
１  運転データ記憶部
２  分析ログ記憶部
３  生成データ記憶部
４  データ指定部
５  演算式指定部
６  データ演算部
７  入力線指定部
８  グラフ作成部
９  グラフ表示部
１０  領域抽出部
１１  領域指定部
１２  出力工程抽出部
１３  出力終了点指定部
１４  出力開始点判定部
１５  出力工程記憶部
１６  データ変換部
２１  入力装置
２２  出力装置
２３  メモリー
２４  プロセッサ
２５  プログラム
【図１】
2016132396.tif 000003
【図２】
2016132396.tif 000004
【図３】
2016132396.tif 000005
【図４】
2016132396.tif 000006
【図５】
2016132396.tif 000007
【図６】
2016132396.tif 000008
【図７】
2016132396.tif 000009
【図８】
2016132396.tif 000010
【図９】
2016132396.tif 000011
【図１０】
2016132396.tif 000012
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
設備機器の運転状態に関するデータである運転データを使用して作業者が前記設備機器の運転状態を分析した手順を、記憶する分析ログ記憶部と、
前記運転データを使用してグラフを作成するグラフ作成部と、
作業者からの入力を受けて、前記グラフ内の少なくとも一部の領域を前記設備機器の異常の原因と考えられる領域として指定する領域指定部と、
前記分析ログ記憶部に記憶された前記手順に含まれる工程の中から、前記領域指定部によって指定された前記領域が含まれる前記グラフを作成するために要した工程を抽出する出力工程抽出部と、
を備えた手順抽出システム。
【請求項２】
前記出力工程抽出部は、
前記領域指定部によって指定された前記領域が含まれる前記グラフが生成データのグラフである場合、前記生成データを生成するために使用された演算式の情報を含んでいる工程が、前記領域指定部によって指定された前記領域が含まれる前記グラフを作成するために要した工程であると判定する判定部
を備えたことを特徴とする請求項１に記載の手順抽出システム。
【請求項３】
前記判定部は、
前記分析ログ記憶部に記憶された前記工程を、前記領域指定部によって前記領域が指定された工程から時系列の逆順に遡るとともに、前記分析ログ記憶部に記憶された前記工程から前記演算式の情報を取得し、
取得した前記演算式の情報に基づいて、前記生成データを、前記運転データ同士の演算のみで表すことができるようになるまで、前記分析ログ記憶部に記憶された前記工程を遡ることを続ける
ことを特徴とする請求項２に記載の手順抽出システム。
【請求項４】
前記グラフ内に書き込む線を表す数式を指定する入力線指定部と、
前記グラフを構成する線が、前記グラフ内に書き込まれた前記線よりも上側になる領域および下側になる領域、を抽出する領域抽出部と、
を備え、
前記領域指定部は、前記領域抽出部によって抽出された前記領域の中から、少なくも１つの領域を指定する
ことを特徴とする請求項１〜３のいずれか１項に記載の手順抽出システム。
【国際調査報告】
2016132396.tif 000013
2016132396.tif 000014